(57)【要約】【課題】コンピュータシステム及び携帯電話機を用いた任意情報の供給方法において、携帯電話機のメール機能を利用することにより、任意情報をリアルタイムに掲載、更新、削除することが可能な任意情報の掲載方法、および掲載情報の閲覧方法と当該方法を自動化するプログラムを提供する。【解決手段】インターネット及び携帯電話機網に接続する情報掲載者からの任意情報をリアルタイムに掲載する方法と、情報受給者が自ら取得しに行く閲覧方法と、これらの処理を２４時間自動で稼動するプログラムを作成する。【選択図】図２
2006039701.tif 000002
【特許請求の範囲】
【請求項１】
以下（ａ）〜（ｇ）の手順を複合的に動作することを特徴とする任意情報の掲載方法、閲覧方法及び管理方法。
（ａ）携帯電話機の電子メール機能（携帯メール）により任意情報の閲覧を行なう方法において、情報提供元の電子メールアドレスに携帯メールを発信する情報受給者に対し、携帯メールの本文に何も記述されていない時には予め分類された閲覧情報に基づく大分類一覧を送信する段階と、分類化された閲覧情報の分類標数を携帯メールの本文に記述することにより、所望する閲覧情報を送信する段階と、閲覧を能動的に希望する情報受給者のみに選択された任意情報を提供する段階とを備えることを特徴とする携帯メールによる任意情報の閲覧方法。
（ｂ）情報掲載者に対しては、情報掲載意思の入力を促す一方、予め電子メールアドレス、氏名、連絡先、情報掲載期間等の個人情報を登録された情報掲載者情報に基づいて情報掲載者の確認と具体的提供情報の発信を促す発信の段階と、情報掲載者から発信された提供情報を逐一記憶する段階とを備える一方、提供情報を含めた分類別閲覧情報の発信を行い情報掲載者の掲載内容の了解を確認するとともに、掲載内容に修正要素があればこれを情報掲載者からの変更内容に基づいて更新し、再度分類別閲覧情報の発信を行い、情報掲載者の掲載内容の最終確認を行える段階を備えることを特徴とする携帯メールによる任意情報の掲載方法。
（ｃ）情報掲載者に対し、情報掲載者の発信された電子メールアドレスによって、前記情報掲載の入力を許可するか否かを決定する段階と、携帯メールの本文に記述された分類標数が予め登録された掲載する情報分類項目と一致するか否かを決定する段階と、掲載期間が契約範囲内であるか否かを決定する段階を備えることを特徴とする（ｂ）の任意情報の掲載方法。
（ｄ）情報受給者及び情報掲載者の識別は携帯電話機からの電子メールのみに対応することを特徴とする任意情報の掲載方法及び閲覧方法。
（ｅ）情報提供元の受信メールは受信時刻の時系列に降順に並べられ、別に最終発信時刻を管理する項目と比較し最終発信時刻よりも新しい受信時刻の受信メールにのみに対応する段階と、新たに任意情報を発信した時に当該時刻で最終発信時刻の更新を行なうことを特徴とする任意情報の掲載方法及び閲覧方法。
（ｆ）情報受給者及び情報掲載者は情報提供元の各々異なる電子メールアドレスに送信することにより、情報受給者か情報掲載者であるかを識別する段階と、情報の閲覧または掲載の処理の振り分けを行うことを特徴とする任意情報の掲載方法及び閲覧方法。
（ｇ）記憶された任意情報は情報掲載者との契約期間が満了すると自動的に抹消される段階を備えることを特徴とする任意情報の管理方法。
【請求項２】
記憶された任意情報の分類項目単位で任意期間における情報受給者の閲覧希望アクセス回数の集計を行う段階と、情報掲載希望者に当該掲載情報の閲覧回数を通知する段階とを備えることを特徴とする任意情報の管理方法。
【請求項３】
前記請求項１を２４時間自動実行するプログラム。
【発明の詳細な説明】
【技術分野】
【０００１】
本発明は、コンピュータシステム及び携帯電話機を用いた任意情報の供給方法に関わり、任意情報をリアルタイムに掲載、更新、削除することが可能な任意情報の掲載方法、および掲載情報の閲覧方法と当該方法を自動化するプログラムならびに任意情報の管理に関する。
【背景技術】
【０００２】
任意情報を不特定多数の人々に供給する方法は、従来より、印刷物等を用いるか、記憶媒体（ＤＶＤ、ＣＤーＲＯＭ、フロッピィディスクなど）に記憶させて、配布または市場に流通させるか、コンピュータのインターネットに表示させて行なうこと等が知られている。また、テレビ、ラジオ等の一方向メディアにより、視聴者、聴取者に対して供給を行なうことや、近年では電子メールアドレスを登録した人に不定期に電子メールとして任意情報を配信する方法も知られている。
【０００３】
【特許文献１】特許第２７５６４８３号
【特許文献２】特開平１０−４９５９１号
【発明の開示】
【発明が解決しようとする課題】
【０００４】
しかしながら、印刷物や記憶媒体を用いて任意情報の供給を行なう方法では、実際に印刷物・記憶媒体が頒布・流通するまでの期間において、数日から数週間程度のタイムラグが生じ、このため、緊急に情報閲覧後の反応を要求する、例えば数時間後、一両日後に欲しいアルバイト的求人情報としては機能しない、という問題がある。さらに、印刷物・記憶媒体の内容が確定するまでの校正・編集の工程は情報掲載者との精度を高めようとするほど、完成までの時間を要するという問題もある。また、一方向メディアでは、即時性や有効性について、ある程度は確保できるものの、掲載料が概して高価で、先の求人情報等は経済効率的に不可能であり、また、これらに掲載される自治体や公共機関が提供する任意情報も実際に自治体や公共機関が保有する情報量に比較すると、極限られた項目に限定されているといった問題もある。さらに、インターネットを介した任意情報の供給は、情報の掲載と閲覧方法において最も簡便にその効果を発揮できる方法ではあるが、コンピュータ及びインターネット利用環境が存在しなければならないという、物理的な問題を抱えている。そして、メールマガジンと呼ばれる不定期な任意情報の供給は、情報受給者にとっては有効な項目とそうではない、いわゆる迷惑メールの類とが混在して、かつ、一方的に配信されるという問題がある。
【０００５】
本発明は、上述した問題に鑑みてなされたもので、その目的とするところは、任意情報掲載依頼から実際の閲覧頒布までのタイムラグを極端に短くし、さらに、情報を欲しい時に情報受給者が自ら取得しに行く閲覧方法と、これらの処理を２４時間自動で稼動するプログラムを作成することと、情報掲載及び情報閲覧の手段を携帯電話機のメール機能で行なうことにより、全体のコストを大幅に削減するとともに、これまで不特定多数の人に情報提供を行なう方法に馴染まなかった情報をも取扱い可能な供給方法を提供することにある。
【課題を解決するための手段】
【０００６】
上述した問題を解決するためにこの発明では、主要な構成として情報を記憶し管理する情報提供元に任意情報掲載方法と閲覧方法が実行可能なデータベース及びメインプログラムをパーソナルコンピュータで構築する。図２。
【０００７】
請求項１に記載の発明にあっては、携帯メールにより任意情報の閲覧を行なう情報提供の方法において、情報提供元の電子メールアドレスに携帯メールを発信する情報受給者に対し、携帯メールの本文に何も記述されていない時には予め分類された閲覧情報に基づく大分類一覧を送信する段階と、分類化された閲覧情報の分類標数を携帯メールの本文に記述することにより、所望する閲覧情報を送信する段階と、閲覧を能動的に希望する情報受給者のみに選択された任意情報を提供する段階とを備えることを特徴としている。
【０００８】
一般的に不特定多数の人に有償・無償を問わず情報提供する形態は多数存在し、現状でも実施されているが、利用者の実利用状況を把握することは非常に困難と思われる。請求項２に記載の発明にあっては、情報掲載者が提供した情報が、具体的に期間や利用時間を含めた利用頻度を測定することが可能となり、提供情報の有効性や掲載意義の評価を行うことが可能となる。
【０００９】
請求項３に記載の発明は、請求項１に記載の発明を２４時間自動で稼動するプログラムで運用することにより、任意情報のリアルタイム掲載および閲覧を可能とし、当該方法のコストを大幅に削減することが可能となる。
【発明の効果】
【００１０】
以上説明したように、本発明によれば、任意情報掲載依頼から実際の閲覧頒布までのタイムラグを極端に短くし、情報掲載者が意図する掲載構成に近似した内容で情報提供を行うことが可能となる。さらに、情報を欲しい時に情報受給者が自ら取得しに行く閲覧方法と、これらの処理を２４時間自動で稼動するプログラムを作成することにより、全体のコストを大幅に削減にすることが可能になり、これまで不特定多数の人に情報提供を行なうことに馴染まなかった情報をも掲載が可能となる。
【発明を実施するための最良の形態】
【００１１】
図２のメインプログラムは２４時間自動で稼動する。また、数秒単位でメーラーＭａ７の送受信機能を起動し、最新の受信メールを取得する。さらに、一日の特定された時間になると、提供情報ＤＢＭａ４を全件確認し、提供情報個別に設定された掲載有効期間を満了する情報の自動削除を行う。
【００１２】
受信メールＭａ６は受信日時の降順に並べられ、メインプログラムは制御ＤＢＭａ３に記録された最終発信日時と受信メールの受信日時を比較し、次段の処理を行うか循環している。
【００１３】
受信日時がＭａ３の最終発信日時より最新の受信メールをメインプログラムが見つけると、最初に次の処理を行う。当該受信メールの発信電子メールアドレスを分析し、携帯電話機からの送信メールであることを確認する。携帯電話機以外からのメールに対しては何ら処理を行わない。
【００１４】
メインプログラムは、Ｒａ〜Ｒｅから情報閲覧用の電子メールアドレスに送信されたメールの時（００１５）の処理を行い、Ｓａ〜Ｓｃから情報掲載用電子メールアドレスの時（００１６）の処理を行う。
【００１５】
メインプログラムは、メールの本文をチェックし、図３の分類票数であれば、たとえば分類票数が“１６”の時、題名に“１６．中分類６”をセットし、“１６１．小分類６１〜１６９．小分類６９”を本文にセットする。この時、小分類１６９が分類構成の最後でこれ以上下位分類を持たない場合は“ＥＮＤ”を、そうでない時は“番号を本文に入力して返信して下さい。”を本文の最後に付加する。メールの本文に何も記載がない時は、“ようこそ情報提供者名”を題名にセットし、“１．大分類１〜９．大分類９”と“番号を本文に入力して返信して下さい。”を本文にセットする。記載された分類票数がＭａ４にない場合は“該当データがありません。”を本文にセットする。このあと（００２１）の処理を行う。
【００１６】
メインプログラムは、受信メールの送信者電子メールアドレスを情報掲載者ＤＢＭａ２と比較し、情報掲載者Ｓａ〜Ｓｃであることの確認と、契約期間の残日時を比較して情報掲載可能な期間が存在することを確認し、該当するときに（００１７）〜（００１９）の処理を行い、該当しないときは何も処理しない。
【００１７】
メインプログラムは、題名に情報掲載者の分類票数をセットする。“掲載情報は必ず本メールの返信で送付してください。”と“掲載内容でよろしければ題名に”情報掲載者の分類票数：ＹＹＭＭＤＤＨＨ“を記述し、掲載満了日時を本文に入力してご送付ください。”を本文にセットする。このあと（００２１）の処理を行う。
【００１８】
メインプログラムは、受信メールの題名が“Ｒｅ： 情報掲載者の分類票数”の時、本文の内容で情報提供ＤＢＭａ４の該当する分類票数と一致するレコードを更新する。題名に情報掲載者の分類票数をセットし、本文に更新後の分類票数を含む同一分類項の内容をセットする。“掲載内容をご確認ください。”を本文に付加する。このあと（００２１）の処理を行う。
【００１９】
メインプログラムは、受信メールの題名が“分類票数：ＹＹＭＭＤＤＨＨ”の時、本文の内容で情報提供ＤＢＭａ４の該当する分類票数と一致するレコードの掲載満了期間を更新する。情報掲載者ＤＢＭａ２の契約期間から前述の情報掲載期間を除してＭａ２を更新する。
【００２０】
請求項１に記載の発明は、携帯電話機の加速度的普及率とどの機種にも共通する携帯メール機能を利用する方法であり、いつでもどこでも利用できる携帯電話機の機動性、通信コストの経済性を有効に活用することを特徴としている。
【００２１】
メインプログラムは、（００１１）で取得した電子メールアドレスを宛先にセットしメールを配信する。図４。配信した日時で制御ＤＢＭａ３の最終発信日時を更新する。
【図面の簡単な説明】
【００２２】
【図１】本発明における実施形態の構成を示すブロック図である。
【図２】同実施形態における情報提供元の構成を示すブロック図である。
【図３】提供情報データベースの分類構成図である。なお、この分類構成は国際十進分類法に準拠している。
【図４】携帯メールの構成図である。
【符号の説明】
【００２３】
Ｍａ・・・・・・・・・・・・・・情報提供元
Ｍａ１・・・・・・・・・・・・・メインプログラム
Ｍａ２〜Ｍａ５・・・・・・・・・データベース
Ｍａ６・・・・・・・・・・・・・電子メール送受信データベース
Ｍａ７・・・・・・・・・・・・・メーラー
Ｋａ、Ｋｂ、Ｋｃ・・・・・・・・携帯電話機網
Ｐａ、Ｐｂ、Ｐｃ・・・・・・・・ＰＨＳ電話機網
Ｓａ、Ｓｂ、Ｓｃ・・・・・・・・情報掲載者
Ｒａ、Ｒｂ、Ｒｃ、Ｒｄ、Ｒｅ・・情報受給者
【図１】
2006039701.tif 000003
【図２】
2006039701.tif 000004
【図３】
2006039701.tif 000005
【図４】
2006039701.tif 000006